(57)【要約】 【課題】本発明は、オーディオデータや画像データに付された付加情報の特徴を表すタグの形式に優先順位をつけて付加情報を出力するコンテンツデータ再生装置，コンテンツデータ出力方法，コンテンツデータ出力プログラムを提供することを課題とする。【解決手段】本発明のオーディオ装置１は、ＣＤを読み取る読み取り部２と、読み取り部２を回転させるモータ３と、ＣＤに記録されたオーディオデータを読み出す光ピックアップ４と、本装置１全体を制御するシステムコントローラ５と、システムコントローラ５からの信号を入力するサーボドライバ６とを備え、光ピックアップ４からの信号はＲＦアンプ７で増幅され、ＭＰ３システムデコーダ８の中で収録曲の属性情報や関連情報を記録したＩＤ３タグとオーディオデータとに分離され、デコードされたオーディオデータはオーディオ出力装置９から出力されることを特徴とする。【選択図】図１
2007141332.tif 000002
【特許請求の範囲】
【請求項１】
コンテンツデータに付加された付加情報を読み取る読み取り手段と、
前記読み取り手段で読み取られた前記付加情報の特徴を表す形式が複数ある場合、出力する付加情報の形式に優先順位を設定する第一設定手段と、
前記第一設定手段により設定された優先順位に基づいて読み取られた前記付加情報をユーザに対して出力する出力手段と
を備えることを特徴とするコンテンツデータ再生装置。
【請求項２】
前記付加情報に、前記コンテンツデータの属性情報が含まれているか否かを判断する第一判断手段と、
前記第一判断手段により、前記第一設定手段により優先順位が設定された付加情報に、前記属性情報が含まれていないと判断されたことを受けて、前記コンテンツデータに付された別の形式の付加情報を選択する第一選択手段とを備え、
前記出力手段は、前記第一選択手段により選択された形式の付加情報を出力することを特徴とする請求項１に記載のコンテンツデータ再生装置。
【請求項３】
前記属性情報の内容に基づき、出力する付加情報の特徴を表す形式に優先順位を設定する第二設定手段を有することを特徴とする請求項１又は２に記載のコンテンツデータ再生装置。
【請求項４】
前記第一判断手段により、前記第一設定手段により優先順位が設定された付加情報に、所定の属性情報が含まれていないと判断されたことを受けて、前記付加情報に文字データが含まれているか否かを判断する第二判断手段と、
前記第二判断手段により、前記付加情報に文字データが含まれていると判断された場合、文字データのサイズを検出する検出手段と、
前記検出手段による検出結果に基づき、前記出力手段に出力する付加情報の形式を選択する第二選択手段とを更に有し、
前記出力手段は、前記第二選択手段により選択された形式の付加情報を出力することを特徴とする請求項２又は３に記載のコンテンツデータ再生装置。
【請求項５】
前記属性情報に関係するキーワードを設定するキーワード設定手段と、
前記キーワード設定手段により設定されたキーワードが前記属性情報に含まれているか否かを判断する第三判断手段とを更に有し、
前記出力手段は、前記第三判断手段によりキーワードが入っている形式の付加情報を出力することを特徴とする請求項１〜４の何れかに記載のコンテンツデータ再生装置。
【請求項６】
前記第一設定手段により設定された優先順位の高い形式の付加情報が、前記出力手段により出力できなかったことを受けて、その付加情報の形式とは異なる形式の付加情報を選択する第三選択手段を更に有していることを特徴とする請求項１〜５の何れかに記載のコンテンツデータ再生装置。
【請求項７】
前記コンテンツデータに付加された付加情報の特徴を表す新しい形式を記憶する記憶手段と、
前記新しい形式の付加情報を前記出力手段にて出力可能となるよう前記出力手段の情報を更新する更新手段とを更に有することを特徴とする請求項１〜６の何れかに記載のコンテンツデータ再生装置。
【請求項８】
前記コンテンツデータに付加された付加情報の内容とは異なる、前記コンテンツデータの内容に関連したサブ情報を格納する格納手段を更に有し、
前記出力手段は、前記付加情報と共にそのコンテンツデータのサブ情報を出力することを特徴とする請求項１〜７の何れかに記載のコンテンツデータ再生装置。
【請求項９】
コンテンツデータに付加された付加情報を読み取るステップと、
前記付加情報の特徴を表す形式が複数ある場合、出力する付加情報の形式に優先順位を設定するステップと、
優先順位に基づいて前記付加情を出力するステップとを含むことを特徴とするコンテンツデータ出力方法。
【請求項１０】
コンテンツデータに付加された付加情報を読み取って出力する再生装置に、
前記付加情報の特徴を表す形式が複数ある場合、出力する付加情報の形式に優先順位を設定するステップと、
優先順位に基づいて読み取られた前記付加情報を出力するステップとを実行させることを特徴とするコンテンツデータ出力プログラム。
【発明の詳細な説明】
【技術分野】
【０００１】
本発明は、記録媒体に記録されたコンテンツデータを出力する技術に関する。
【背景技術】
【０００２】
近年、従来のＣＤやＭＤだけでなく、パーソナルコンピュータによりＣＤからＭＰ３（ＭＰＥＧ１  Ａｕｄｉｏ  Ｌａｙｅｒ３）やＷＭＡ（Ｗｉｎｄｏｗｓ（登録商標）  Ｍｅｄｉａ  Ａｕｄｉｏ）の形式に圧縮し、それをハードディスク（ＨＤ）に記憶させて、音楽を出力するプレーヤー（再生装置）の普及が著しい。
【０００３】
そして、ＨＤに記憶した曲を、更にＣＤ−Ｒ，ＭＤ，ＭＯ等に記録し、カーオーディオ装置や携帯型オーディオ装置で視聴するユーザも増えている。
【０００４】
このＭＰ３方式には、ＭＰ３ファイルの末尾に、曲名やアーティスト名や音楽のジャンル等の文字情報を保持するための１２８バイト固定長のデータ領域が付加されたＩＤ３タグバージョン１（ＩＤ３  Ｔａｇ  ｖｅｒｓｉｏｎ１）と、文字データだけでなく画像データを記憶することができる最大２５６ＭＢの記憶領域が付加されたＩＤ３タグバージョン２（ＩＤ３  Ｔａｇ  ｖｅｒｓｉｏｎ２）とがある。
【０００５】
ＩＤ３タグバージョン１及びＩＤ３タグバージョン２の方式で圧縮されたデータは、それぞれの方式に対応するプレーヤーにて、曲名やアーティスト名等の文字データや画像データをディスプレイに表示したり編集したりすることができる。
【特許文献１】特開２００２−２４５７２０号公報
【特許文献２】特開２００３−１４１８５５号公報
【特許文献３】特開２００２−７４９１１号公報
【特許文献４】特開２００３−１６９２９８号公報
【発明の開示】
【発明が解決しようとする課題】
【０００６】
ところで、一つのオーディオデータファイルには、ＩＤ３タグバージョン１とＩＤ３タグバージョン２との二種類のタグを記録することができる。
【０００７】
しかしながら、これらのタグには、どちらの方式を優先させてデータを取得するかといった基準が設けられていない。
【０００８】
さらに、ＩＤ３タグバージョン１又はＩＤ３タグバージョン２の何れか一方の方式にしか対応していないプレーヤーでオーディオデータを再生したとき、対応していない方の方式のタグが出力されてしまうと、その情報を見ることができなかった。
【０００９】
そこで、本発明は、オーディオデータや画像データに付された付加情報の特徴を表す形式（タグ）に優先順位をつけて、付加情報を出力することができるコンテンツデータ再生装置，コンテンツデータ出力方法，コンテンツデータ出力プログラムを提供することを課題とする。
【００１０】
また、本発明は、再生装置で再生可能な、付加情報の特徴を表す形式に応じた付加情報を出力することができるコンテンツデータ再生装置，コンテンツデータ出力方法，コンテンツデータ出力プログラムを提供することを課題とする。
【課題を解決するための手段】
【００１１】
本発明は上記事項に鑑みてなされたものであり、すなわち本発明は、コンテンツデータに付加された付加情報を読み取る読み取り手段と、読み取り手段で読み取られた付加情報の特徴を表す形式が複数ある場合、出力する付加情報の形式に優先順位を設定する第一設定手段と、第一設定手段により設定された優先順位に基づいて読み取られた付加情報をユーザに対して出力する出力手段とを備えることを特徴とする。
【００１２】
本発明におけるコンテンツデータは画像データ又はオーディオデータ等のデータやファイルを含んでいる。それらのデータを記録する形式として好ましい圧縮形式としては、ＭＰ３（ＭＰＥＧ  Ａｕｄｉｏ  Ｌａｙｅｒ−３），ＷＭＡ（Ｗｉｎｄｏｗｓ（登録商標）
Ｍｅｄｉａ  Ａｕｄｉｏ），ＡＡＣ（Ａｄｖａｎｃｅｄ  Ａｕｄｉｏ  Ｃｏｄｉｎｇ），ＳＶＣＤ（Ｓｕｐｅｒ  Ｖｉｄｅｏ  ＣＤ），ＶＣＤ（Ｖｉｄｅｏ  ＣＤ）等がある。
【００１３】
また、本発明のコンテンツデータ再生装置は、コンテンツデータの内容により、オーディオデータの再生を行うオーディオ装置や、画像データの再生を行う画像再生装置とすることができる。
【００１４】
また、これらのコンテンツデータには、コンテンツデータの内容を識別したり表したりするための付加情報が付されている。この付加情報には、コンテンツデータのタイトルや内容を表す属性情報が含まれている。例えば、コンテンツデータが、オーディオデータの場合、付加情報内の属性情報として、曲のタイトル，アーティスト名，アーティストのプロフィール，バイオグラフィー，アーティストの顔画像等のデータを挙げることができる。
【００１５】
そして、この付加情報は、データ形式の異なる複数の方式（形式）の情報を有している。つまり、例えば、ＭＰ３形式で圧縮されたコンテンツデータの付加情報は、ＩＤ３タグバージョン１とバージョン２との二つのバージョンを有している。
【００１６】
従来は、コンテンツデータに二つのバージョンがあった場合でも、どちらのバージョンの付加情報を出力するかは設定することができなかった。
【００１７】
しかしながら、本発明のコンテンツデータ再生装置には、それらのバージョンの出力順序に優先順位を設定するための第一設定手段が設けられている。そのため、コンテンツデータ再生装置によって出力できるバージョンを優先的に出力するように設定することができ、付加情報の出力を迅速に行うことができる。
【００１８】
また、本発明のコンテンツデータ再生装置は、付加情報に、コンテンツデータの属性情報が含まれているか否かを判断する第一判断手段と、第一判断手段により、第一設定手段により優先順位が設定された付加情報に、属性情報が含まれていないと判断されたことを受けて、コンテンツデータに付された別の形式の付加情報を選択する第一選択手段とを備えている。そして、出力手段は、第一選択手段により選択された形式の付加情報を出力することを特徴とする。
【００１９】
付加情報に含まれた属性情報には、上記したように複数の情報が含まれている。第一判断手段は、属性情報中の特定の情報の有無を判断する。例えば、バージョン１の付加情報に、画像のタイトル名，画像作成日，画像のサイズ，画像の作成ユーザ名が含まれ、バージョン２の付加情報には、画像の作成ユーザ名だけ含まれていないとする。このとき、本発明に係る第一判断手段は、バージョン１の付加情報の内容とバージョン２の付加情報の内容とを比較し、画像作成ユーザ名の情報が入っていないと判断する。この判断結果を受
けて、第一選択手段は、バージョン１の付加情報を優先的に出力するよう選択する。このとき、もし、第一設定手段によりバージョン２が優先的に出力すると設定されていたとした場合、画像作成ユーザ名が入っている方を最優先させるよう設定することも、優先順位を二番目として設定することも可能である。
【００２０】
これにより、本発明のコンテンツデータ再生装置は、ユーザによる優先順位に関係なく、出力できる形式の付加情報を優先的に出力することができるため、付加情報をスムーズに出力させることができる。
【００２１】
さらに、本発明のコンテンツデータ再生装置は、属性情報の内容に基づき、出力する付加情報の特徴を表す形式に優先順位を設定する第二設定手段を有する構成とすることもできる。
【００２２】
本発明に係る第二設定手段は、例えば、属性情報にタイトル情報が含まれているものを優先的に出力するように予め設定するための手段である。この第二設定手段は、第一設定手段により設定された優先順位より優先させる設定としたり、第一設定手段により設定された優先順位の次の優先順位として設定したり、選択的に行うことができると好ましい。
【００２３】
これにより、もし、第一設定手段にて優先順位を設定した形式の付加情報の出力が再生装置側で対応していないというような場合であっても、出力できる形式に切り替えて迅速に付加情報を出力することができる。
【００２４】
また、本発明のコンテンツデータ再生装置は、第一判断手段により、第一設定手段により優先順位が設定された付加情報に、所定の属性情報が含まれていないと判断されたことを受けて、付加情報に文字データが含まれているか否かを判断する第二判断手段と、第二判断手段により、付加情報に文字データが含まれていると判断された場合、文字データのサイズを検出する検出手段と、検出手段による検出結果に基づき、出力手段に出力する付加情報の形式を選択する第二選択手段とを更に有する構成としても好ましい。これにより、出力手段は、第二選択手段により選択された形式の付加情報を出力することができるようになる。
【００２５】
これは、例えば、第一設定手段により優先順位が設定されたバージョン１の付加情報にアーティスト名情報が入っていないと第一判断手段が判断したことを受けて、第二判断手段により、バージョン１とバージョン２とのそれぞれの付加情報に文字データが含まれているか否かを判断する。そして、第二判断手段により、バージョン１にもバージョン２にも文字データが含まれていると判断されると、文字データのサイズが大きい方のバージョンの付加情報を優先的に出力するように設定するため、検出手段によりバージョン１とバージョン２のそれぞれの付加情報に含まれた文字データのサイズを検出する。
【００２６】
ここで、例えば、バージョン２の方が文字データのサイズが大きいと判明した場合、第二選択手段により、バージョン２の付加情報が優先的に選択される。
【００２７】
さらに、本発明のコンテンツデータ再生装置は、属性情報に関係するキーワードを設定するキーワード設定手段と、キーワード設定手段により設定されたキーワードが属性情報に含まれているか否かを判断する第三判断手段とを更に有する構成とすることもできる。このとき、出力手段は、第三判断手段によりキーワードが入っている形式の付加情報を出力するようにする。
【００２８】
キーワード設定手段は、コンテンツデータ再生装置の本体に設けられると好ましい。尚、キーワード設定手段としては、文字や数字が表示されているタッチパネルやキーパネル
（ボタン）を好適に用いることができる。
【００２９】
このキーワード設定手段からは、属性情報に含まれている情報、例えば、曲のタイトルやアーティスト名等をキーワードとして設定することができる。
【００３０】
本発明のコンテンツデータ再生装置は、第三判断手段によりキーワードが含まれていると判断されたバージョンの付加情報を優先的に出力することができる。尚、第三判断手段による判断結果に基づき設定された優先順位は、第一設定手段にて設定された優先順位より優先させるか否か設定することができる構成とすることもできる。
【００３１】
これにより、コンテンツデータ再生装置のカスタマイズ性を向上させることができる。
【００３２】
また本発明のコンテンツデータ再生装置は、第一設定手段により設定された優先順位の高い形式の付加情報が、出力手段により出力できなかったことを受けて、その付加情報の形式とは異なる形式の付加情報を選択する第三選択手段を更に有する構成とするとより好ましい。
【００３３】
つまり、第三選択手段は、コンテンツデータ再生装置側で対応していないバージョンの付加情報が優先して選択されたが、出力手段により出力できないことを受けて、別のバージョンを選択して出力手段に出力させる機能を有している。
【００３４】
これにより、付加情報が出力できなかった場合でも、ユーザが優先順位を再度設定し直すことなく、自動的に出力可能なバージョンの付加情報を出力することができる。
【００３５】
さらに、本発明のコンテンツデータ再生装置は、コンテンツデータに付加された付加情報の特徴を表す新しい形式を記憶する記憶手段と、新しい形式の付加情報を出力手段にて出力可能となるよう出力手段の情報を更新する更新手段とを更に有する構成とすることもできる。更新手段は、付加情報の新しい形式（バージョン）を出力手段により出力することができるようにするソフトウェアやプログラムとすることができる。
【００３６】
このような更新手段により、付加情報の新しい形式に常に対応可能となり、ユーザへの付加情報の提供率を向上させることが可能となる。
【００３７】
また、本発明のコンテンツデータ再生装置は、コンテンツデータに付加された付加情報の内容とは異なる、コンテンツデータの内容に関連したサブ情報を格納する格納手段を更に有する構成としてもよい。このとき、出力手段は、付加情報と共にそのコンテンツデータのサブ情報を出力するようにする。
【００３８】
サブ情報には、例えば、コンテンツデータが画像データであった場合、その画像を撮影したときの状況を説明したコメントや、その画像に関連する画像等が含まれる。
【００３９】
このように、本発明によれば、付加情報の内容とは異なるさらなる情報をユーザに提供することができ、ユーザに対して面白味を与えることができる。
【００４０】
また、本発明は、コンテンツデータに付加された付加情報を読み取るステップと、付加情報の特徴を表す形式が複数ある場合、出力する付加情報の形式に優先順位を設定するステップと、優先順位に基づいて付加情を出力するステップとを含むことを特徴とするコンテンツデータ出力方法である。
【００４１】
さらに、本発明は、コンテンツデータ及びそのコンテンツデータに付加された付加情報
を読み取って出力する再生装置に、付加情報の特徴を表す形式が複数ある場合、出力する付加情報の形式に優先順位を設定するステップと、優先順位に基づいて出力された付加情を出力するステップとを実行させることを特徴とするコンテンツデータ出力プログラムである。
【００４２】
本発明のコンテンツデータ出力方法及びコンテンツデータ出力プログラムは、オーディオデータ又は画像データを出力可能なオーディオ装置、特にカーオーディオ装置に好適に用いることができる。
【発明の効果】
【００４３】
本発明によれば、オーディオデータや画像データに付された付加情報の特徴を表す形式（タグ）の形式に優先順位をつけて、付加情報を出力することができるコンテンツデータ再生装置，コンテンツデータ出力方法，コンテンツデータ出力プログラムを提供することができる。
【００４４】
また、本発明によれば、再生装置で再生可能な、付加情報の特徴を表す形式に応じた付加情報を出力することができるコンテンツデータ再生装置，コンテンツデータ出力方法，コンテンツデータ出力プログラムを提供することが可能となる。
【発明を実施するための最良の形態】
【００４５】
以下に本実施形態のコンテンツデータ再生装置について図面を参照しながら詳説する。尚、本実施形態のコンテンツデータ再生装置は、ＭＰ３形式で記録されたオーディオデータを再生するオーディオ装置であり、オーディオデータを記録する媒体としては、ハードディスク，ＣＤ（Ｃｏｍｐａｃｔ  Ｄｉｓｋ），ＤＶＤ（Ｄｅｇｉｔａｌ  Ｖｉｄｅｏ  Ｄｉｓｋ），ＭＤ（Ｍｉｎｉ  Ｄｉｓｋ）等とすることができる。
【実施例１】
【００４６】
本実施例のオーディオ装置は、オーディオデータをＭＰ３形式で圧縮して記録されたＣＤを再生する場合について説明する。勿論、オーディオデータを記録するメディアはＣＤに限らず、ＭＤやＤＶＤ等とすることもできる。
【００４７】
（ハードウェア構成）
図１に示すように、本実施例のオーディオ装置１は、ＣＤを読み取る読み取り部（読み取り手段）２と、読み取り部２を駆動（回転）させるモータ３と、ＣＤに記録されたオーディオデータを読み出す光ピックアップ４と、本装置１全体を制御するシステムコントローラ５と、システムコントローラ５からの信号を入力するサーボドライバ６とを備えている。つまり、モータ３及び光ピックアップ４とは、このサーボドライバ６により制御されており、再生の開始、停止、読み出し等を行うことができる。
【００４８】
光ピックアップ４からの信号はＲＦアンプ７で増幅され、ＭＰデコーダ８の中において、収録曲の属性情報（例えば、タイトル名，アーティスト名，作成年度，曲のジャンル情報）や関連情報（例えば、曲に対するコメントやアーティストの画像等）を記録したＩＤ３タグ（付加情報）とオーディオデータとに分離される。そして、デコードされたオーディオデータは、従来のオーディオ装置と同様にオーディオ出力装置９から出力される。
【００４９】
ＭＰ３のデータにおいては、各曲のファイルの末尾又は先頭の１２８バイトにＩＤ３タグが記録されている。ＩＤ３タグにはバージョン１とバージョン２とがあり、バージョン１は、ファイル末尾の１２８バイトに、曲に関するテキストデータを記録するタグであり、バージョン２は、ファイル先頭の１２８バイトにテキストデータだけでなく曲に関する画像データ（例えば、その曲を歌っているアーティストの画像，曲のイメージ画像，歌詞
等）を記録するタグである。
【００５０】
これらのＩＤ３タグは、属性情報や関連情報を含んでいる。例えば、本実施例のオーディオ装置１で再生するＣＤに曲Ａ、曲Ｂ、曲Ｃが収録されているとする。本実施例の曲Ａ〜Ｃのオーディオデータには、ＩＤ３タグの方式がバージョン１とバージョン２との二種類のバージョンのＩＤ３タグが付されている。曲Ａのバージョン１のＩＤ３タグには、曲のタイトル，ジャンル，作成年度の属性情報及び関連情報が含まれており、バージョン２のＩＤ３タグには、曲のタイトル，アーティスト名，作成年度，画像の属性情報及び関連情報が含まれている。曲Ｂのバージョン１のＩＤ３タグには、曲のタイトル，アーティスト名，ジャンル（ポップス，ジャズ，クラッシック等）の属性情報及び関連情報が含まれており、バージョン２のＩＤ３タグには、アーティスト名，作成年度，コメント，画像の属性情報及び関連情報が含まれている。曲Ｃのバージョン１のＩＤ３タグには、アーティスト名，ジャンル，作成年度，コメントの属性情報及び関連情報が含まれており、バージョン２のＩＤ３タグには、曲のタイトル，アーティスト，ジャンル，コメントの属性情報及び関連情報が含まれている。
【００５１】
本実施例のオーディオ装置１に係るシステムコントローラ５は、ＩＤ３タグに記録されている情報の有無を判断する機能（第一判断手段）を有している。
【００５２】
加えて、本実施例のオーディオ装置１は、ＩＤ３タグを出力するバージョンに優先順位を設定するための操作部（第一設定手段）１０を有している。この操作部１０は、オーディオ装置１の前面にボタンとして設けられている。そのため、ユーザはこの操作部１０を操作することにより、ＩＤ３タグのバージョン１を優先して出力するか、バージョン２を優先して出力するかを設定することができる。
【００５３】
さらに、本実施例のオーディオ装置１は、出力されたＩＤ３タグを表示する表示部（出力手段）１１を備えている。この表示部１１には、図３に示すように、ＩＤ３タグに含まれている、曲のタイトル名，アーティスト名，作成年度等の文字情報や画像が表示される。
以上が本実施例のオーディオ装置１の構成である。
【００５４】
（付加情報出力方法）
次に、本実施例のオーディオ装置１における付加情報の出力方法について詳説する。尚、本実施例のオーディオ装置１で行われる処理は、システムコントローラ５により行われているものとして説明する。
図２に本実施例のオーディオ装置１で行われる付加情報出力工程のフローチャートを示す。
【００５５】
まず、システムコントローラ５は、優先して出力するＩＤ３タグのバージョンの設定が行われたことを受け付ける（Ｓ０１）。このときユーザは、優先させて出力するＩＤ３タグのバージョンをバージョン１にするかバージョン２にするかを選択し、操作部１０にて設定する。このとき、選択されたバージョンの出力ＯＮのフラグがたてられる。
【００５６】
次に、システムコントローラ５は、ディスク（ＣＤ）の挿入を受け付ける（Ｓ０２）。これは、ユーザがＣＤをオーディオ装置１本体に設けられたディスク挿入口１２（図３参照）にＣＤを挿入すると、システムコントローラ５がディスクの挿入があったことを認識するものである。
【００５７】
ＣＤの挿入を受け付けると、システムコントローラ５は、そのＣＤのファイル（オーディオデータ及びＩＤ３タグのデータ）の解析処理を実行する（Ｓ０３）。この処理の際に
、ＭＰ３システムデコーダ８によりオーディオデータとＩＤ３タグデータとが分離される。
【００５８】
システムコントローラ５は、ファイル解析処理の終了を受けると、ユーザにより設定されたＩＤ３タグのバージョンが、バージョン１であるかバージョン２であるかを判断する（Ｓ０４）。つまり、システムコントローラ５は、何れのバージョンに出力ＯＮのフラグがたっているかを判断する。
【００５９】
ここでシステムコントローラ５が、ステップ０１で設定されたのはバージョン１であると判断した場合、システムコントローラ（第一選択手段）５は、ＭＰ３システムデコーダ８に、ＣＤに記録された曲のバージョン１のＩＤ３タグのデコードを行う指令を出す。すると、ＭＰ３システムデコーダ８は、バージョン１のＩＤ３タグをデコードしデータを取得する（Ｓ０５）。尚、システムコントローラ５が、ステップ０１でユーザに設定されたのはバージョン２であると判断した場合は、ＭＰ３システムデコーダ８は、バージョン２のＩＤ３タグをデコードしデータを取得する（Ｓ０６）。
【００６０】
ＩＤ３タグのデコードが完了すると、システムコントローラ５は、そのＩＤ３タグのデータを表示部１１に表示する処理を実行する（Ｓ０７）。ＩＤ３タグのデータは、図３に示すように、表示部１１上に文字や画像として表示される。
【００６１】
さらに、システムコントローラ５は、ＩＤ３タグの表示処理と共に、ＭＰ３システムデコーダ８によりデコードされたオーディオデータをオーディオ出力装置９から出力する処理を実行する（Ｓ０８）。
【００６２】
このように、優先して出力するＩＤ３タグのバージョンをユーザが任意に設定することができる。これにより、ユーザがＭＰ３形式に圧縮し音楽ＣＤを作成したときのＩＤ３タグのバージョンを優先して出力するよう予め設定することができる。そのため、本実施例のオーディオ装置１によれば、ＭＰ３形式に圧縮されたオーディオデータ（ＩＤ３タグも含む）の出力を円滑に行うことができる。
（その他の実施態様１）
【００６３】
本実施例のオーディオ装置１は、ユーザにより出力するＩＤ３タグのバージョンに優先順位が設定されていた場合であっても、出力するＩＤ３タグのバージョンの優先順位をＩＤ３タグの内容に応じて変更する処理も行うことができることを特徴とする。
【００６４】
図４にその場合の制御フローチャートを示す。本実施態様では、ユーザによって出力するＩＤ３タグのバージョンに優先順位が付されているが、その優先順位よりも曲のタイトル情報が入っているＩＤ３タグのバージョンの出力を優先するように予め設定しておく。尚、この設定は、ユーザが操作部１０から任意に設定することができる。
【００６５】
まず、システムコントローラ５は、ＣＤの挿入を受け付ける（Ｓ１００）。つまり、ユーザが、ＣＤをオーディオ装置１本体に設けられたディスク挿入口１２（図３参照）にＣＤを挿入すると、システムコントローラ５がディスクの挿入があったことを認識する。
【００６６】
ＣＤの挿入を受け付けると、システムコントローラ５は、そのＣＤのファイル（オーディオデータ及びＩＤ３タグのデータ）の解析処理を実行する（Ｓ１０１）。この処理の際に、ＭＰ３システムデコーダ８によりオーディオデータとＩＤ３タグデータとがデコードされ且つ分離される。
【００６７】
システムコントローラ（第二設定手段）５は、ファイルの解析の終了を受けると、ＩＤ
３タグのデータ内に曲のタイトル情報があるか否かを判断する。例えば、曲Ａにはバージョン１もバージョン２も曲のタイトル情報についての情報が含まれているが、曲Ｂのバージョン２及び曲Ｃのバージョン１には曲のタイトル情報は含まれていない。このような場合、システムコントローラ５は、曲のタイトル情報が含まれている曲のバージョン１を選択する（Ｓ１０２）。ここで、システムコントローラ５により曲のタイトル情報が含まれているのはバージョン１であると判断された場合、ＩＤ３タグのバージョン１のデータを取得する（Ｓ１０３）。一方、ステップ１０２で、システムコントローラ５が曲のタイトル情報が含まれているのはバージョン２であると判断した場合は、ＩＤ３タグのバージョン２のデータを取得する処理を実行する（Ｓ１０４）。
【００６８】
ＩＤ３タグのデコードが完了すると、システムコントローラ５は、そのＩＤ３タグのデータを表示部１１に表示する処理を実行する（Ｓ１０５）。ＩＤ３タグのデータは、図３に示すように、表示部１１上に文字や画像として表示される。
【００６９】
さらに、システムコントローラ５は、ＩＤ３タグの表示処理と共に、ＭＰ３システムデコーダ８によりデコードされたオーディオデータをオーディオ出力装置９から出力する処理を実行する（Ｓ１０６）。
【００７０】
このように、ＩＤ３タグに含まれているデータの内容によって、先の優先順位よりも優先してＩＤ３タグのバージョンを出力することができるため、いち早く現在再生されているオーディオデータの情報をユーザに提供することができる。
【００７１】
尚、本実施態様では、曲のタイトル情報が含まれているか否かでＩＤ３タグのバージョンの優先順位を変更する態様として説明したが、曲のタイトル情報の他にも、アーティスト名，曲のジャンル，作成年度，曲に対するコメント，画像等の情報とし、それらの情報の有無によりＩＤ３タグのバージョンの優先順位を変更してもよい。
（その他の実施態様２）
【００７２】
本実施態様では、ユーザによって出力するＩＤ３タグのバージョンに優先順位が付されているが、その優先順位よりもデータサイズの大きいＩＤ３タグのバージョンの出力を優先するように予め設定しておく。尚、この設定は、ユーザが操作部１０により任意に行うことができる。
【００７３】
図５に示すように、まず、システムコントローラ５は、ＣＤの挿入を受け付ける（Ｓ２００）。つまり、ユーザが、ＣＤをオーディオ装置１本体に設けられたディスク挿入口１２（図３参照）にＣＤを挿入すると、システムコントローラ５がディスクの挿入があったことを認識する。
【００７４】
ＣＤの挿入を受け付けると、システムコントローラ５は、そのＣＤのファイル（オーディオデータ及びＩＤ３タグのデータ）の解析処理を実行する（Ｓ２０１）。この処理の際に、ＭＰ３システムデコーダ８によりオーディオデータとＩＤ３タグデータとがデコードされ且つ分離される。
【００７５】
システムコントローラ５（検出手段）は、ファイルの解析の終了を受けると、バージョン１とバージョン２とのＩＤ３タグサイズを検出する。例えば、曲Ａのバージョン１のＩＤ３タグのデータサイズが１２８バイトで、バージョン２のＩＤ３タグのデータサイズが３２バイトであるとする。
【００７６】
この場合、システムコントローラ５は、バージョン１のＩＤ３タグのデータサイズの方がバージョン２のＩＤ３タグのデータサイズよりも大きいと判断する（Ｓ２０２）。そし
て、システムコントローラ（第二選択手段）５は、ＩＤ３タグを優先的に出力するため、バージョン１のデータを取得する（Ｓ２０３）。尚、ステップ２０２で、システムコントローラ５が、バージョン２のデータサイズの方が大きいと判断された場合は、前記同様に、バージョン２のデータを取得する（Ｓ２０４）。
【００７７】
ＩＤ３タグのデコードが完了すると、システムコントローラ５は、そのＩＤ３タグのデータを表示部１１に表示する処理を実行する（Ｓ２０５）。ＩＤ３タグのデータは、図３に示すように、表示部１１上に文字や画像として表示される。
【００７８】
さらに、システムコントローラ５は、ＩＤ３タグの表示処理と共に、ＭＰ３システムデコーダ８によりデコードされたオーディオデータをオーディオ出力装置９から出力する処理を実行する（Ｓ２０６）。
【００７９】
このように、ＩＤ３タグに含まれているデータの内容によって、先の優先順位よりも優先してＩＤ３タグのバージョンを出力することができるため、現在再生されているオーディオデータの情報をユーザにいち早く提供することができる。
【００８０】
尚、本実施態様では、ＩＤ３タグのデータ（ファイル）サイズにより、優先順位を変更するとして説明したが、ＩＤ３タグ内の文字データの有無を検出し、文字データの大きさが大きい方のバージョンのＩＤ３タグを出力する態様としてもよい。
【実施例２】
【００８１】
本実施例のオーディオ装置は、曲に関係するキーワードを設定し、そのキーワードがＩＤ３タグ内に入っているか否かで出力するＩＤ３タグのバージョンの優先順位を変更することを特徴としている。尚、本実施例のオーディオ装置は、実施例１のオーディオ装置の構成とほぼ同じであるため、実施例１のオーディオ装置１と重複する構成には実施例１の図面と同一の符号を付し、それらの説明を簡略化する。
【００８２】
本実施例のオーディオ装置は、図３に示すように、オーディオ装置１本体の前面に、ＩＤ３タグのデータに含まれている曲のタイトルやアーティスト等の属性情報又は曲に関連するイメージ画像や曲に対するオリジナルのコメント等の関連情報に関係したキーワードをユーザが設定するためのキーワード入力部１３を有している。本実施例のキーワード入力部１３は、タッチパネルを好適に用いることができ、パネル上には、五十音，アルファベット，記号，数値等が表示される。
【００８３】
次に本実施例のオーディオ装置１の制御処理工程について説明する。
図６にその場合の制御フローチャートを示す。本実施態様では、ユーザによって出力するＩＤ３タグのバージョンに優先順位が付されているが、その優先順位よりも、設定したキーワードが入っているバージョンのＩＤ３タグの出力を優先するようにキーワード入力部１３により予め設定しておく。
【００８４】
まず、システムコントローラ５は、ＣＤの挿入を受け付ける（Ｓ３００）。つまり、ユーザが、ＣＤをオーディオ装置１本体に設けられたディスク挿入口１２（図３参照）にＣＤを挿入すると、システムコントローラ５がディスクの挿入があったことを認識する。
【００８５】
ＣＤの挿入を受け付けると、システムコントローラ５は、そのＣＤのファイル（オーディオデータ及びＩＤ３タグのデータ）の解析処理を実行する（Ｓ３０１）。この処理の際に、ＭＰ３システムデコーダ８によりオーディオデータとＩＤ３タグデータとがデコードされ且つ分離される。
【００８６】
システムコントローラ（第三判断手段）５は、ファイル解析処理の終了を受けると、ＩＤ３タグのデータ内に予め設定したキーワードが入っているか否かを判断する。例えば、キーワードを、数値の「３」と設定したとする。すると、本実施例のシステムコントローラ５は、曲のタイトル，アーティスト名，作成年度，オリジナルのコメント中に「３」というキーワードが入っている方のバージョンのＩＤ３タグを優先的に選択する（Ｓ３０２）。
【００８７】
ステップ３０２で、システムコントローラ５により曲のタイトル情報が含まれているのはバージョン１であると判断された場合、ＩＤ３タグのバージョン１のデータを取得する（Ｓ３０３）。一方、ステップ３０２で、システムコントローラ５により曲のタイトル情報が含まれているのはバージョン２であると判断された場合は、ＩＤ３タグのバージョン２のデータを取得する（Ｓ３０４）。
【００８８】
ＩＤ３タグのデコードが完了すると、システムコントローラ５は、そのＩＤ３タグのデータを表示部１１に表示する処理を実行する（Ｓ３０５）。ＩＤ３タグのデータは、図３に示すように、表示部１１上に文字や画像として表示される。
【００８９】
さらに、システムコントローラ５は、ＩＤ３タグの表示処理と共に、ＭＰ３システムデコーダ８によりデコードされたオーディオデータをオーディオ出力装置９から出力する処理を実行する（Ｓ３０６）。
【００９０】
このように、ユーザが予め設定したキーワードが含まれているか否かによって、先の優先順位よりも優先してＩＤ３タグのバージョンを出力することができるため、現在再生されているオーディオデータの情報をユーザにいち早く提供することができる。
【実施例３】
【００９１】
本実施例のオーディオ装置は、ＣＤに収録されたアルバムが何であるか（例えば、アーティストや曲のタイトル）を認識して、そのアルバムに関係する写真や画像などのサブ情報を出力することを特徴とする。尚、本実施例のオーディオ装置は、実施例１及び２のオーディオ装置の構成とほぼ同じであるため、実施例１及び２のオーディオ装置１と重複する構成には実施例１の図面と同一の符号を付し、それらの説明を簡略化する。
【００９２】
図７に本実施例のオーディオ装置における制御フローチャートを示す。尚、本実施例のオーディオ装置は、実施例１のように、ユーザによって、出力されるＩＤ３タグのバージョンに予め優先順位が設定されていることを前提とする。
【００９３】
まず、システムコントローラ５は、ＣＤの挿入を受け付ける（Ｓ４００）。つまり、ユーザが、ＣＤをオーディオ装置１本体に設けられたディスク挿入口１２（図３参照）にＣＤを挿入すると、システムコントローラ５がディスクの挿入があったことを認識する。
【００９４】
ＣＤの挿入を受け付けると、システムコントローラ５は、そのＣＤのファイル（オーディオデータ及びＩＤ３タグのデータ）の解析処理を実行する（Ｓ４０１）。この処理の際に、ＭＰ３システムデコーダ８によりオーディオデータとＩＤ３タグデータとがデコードされ且つ分離される。
【００９５】
さらに、システムコントローラ５は、ファイル解析処理の終了を受けると、挿入されたディスクを特定する（Ｓ４０２）。本実施例のオーディオ装置１は、ディスクを特定するために、一度再生されたディスクについての情報（曲のタイトル名，アーティスト名，ディスコグラフィー，アーティストの画像等）をメモリ（格納手段）１４（図１参照）に記録しておく。そして、システムコントローラ５は、ステップ４０２でディスクの特定を行
う際に、メモリ１４に記録された情報の中からそのディスクに適合する情報を検索する。
【００９６】
ディスクの特定が完了すると、システムコントローラ５は、メモリ１４に記録されているサブ情報を表示部１１に表示する（Ｓ４０３）。サブ情報には、文字データだけでなく画像も含まれており、図３に示すように、表示部１１に表示される。
【００９７】
このように、本発明によれば、表示部１１に、曲に関係する画像や文字が表示することができるため、現在再生されているオーディオデータの詳細な情報をユーザにいち早く提供することができる。
【実施例４】
【００９８】
本実施例のオーディオ装置は、優先順位を設定したバージョンのＩＤ３タグが出力できなかった場合、別のバージョンのＩＤ３タグを出力することを特徴としている。尚、本実施例のオーディオ装置は、実施例１〜３のオーディオ装置の構成とほぼ同じであるため、実施例１〜３のオーディオ装置１と重複する構成には実施例１の図面と同一の符号を付し、それらの説明を簡略化する。
【００９９】
本実施例のオーディオ装置１は、ユーザが操作部１０により優先順位を設定したバージョン（例えば、バージョン１）が、オーディオ装置１に対応しておらず、そのバージョンのＩＤ３タグを出力できない場合、システムコントローラ５は、もう一方のバージョン（ここではバージョン２）のＩＤ３タグを出力することを特徴としている。
【０１００】
このように、本実施例のオーディオ装置１によれば、ユーザにより設定されたバージョンが、オーディオ装置自体の規格にあわず出力できない場合は、出力可能なバージョンを選択することができるため、ＩＤ３タグが出力できないという事態を回避することができる。つまり、本発明によれば、曲に関する情報を極力漏れなくユーザに提供することができる。
【０１０１】
また、本実施例のオーディオ装置１は、新しい形式のＩＤ３タグが付されたディスクを読み込んだ場合、その形式をメモリ（記憶手段）に記憶しておく。そして、この場合のオーディオ装置１は、新しい形式のＩＤ３タグを出力するためのソフトウェアやプログラムをインターネットを介してダウンロードする更新手段を有すると好ましい。
【０１０２】
これにより、次回はその形式のＩＤ２タグの出力を行うことができる。尚、更新手段は、新たな形式のＩＤ３タグの出力毎に、そのタグを出力することができるソフトウェアやプログラムを自動的にアップロードするようにするとより好ましい。
【０１０３】
このように、更新手段を設けることにより、新しい形式のＩＤ３タグに常に対応することができる。
【０１０４】
・    尚、上記した実施例１〜４の説明では、コンテンツデータを、ＭＰ３形式で圧縮されたオーディオデータとして説明したが、本発明のコンテンツデータ再生装置は、圧縮されていないデータにも好適に用いることができる。
【図面の簡単な説明】
【０１０５】
【図１】実施例１のオーディオ装置のハードウェアを示すブロック図である。
【図２】実施例１のオーディオ装置による制御フローチャートである。
【図３】実施例１のオーディオ装置の外観を示す図である。
【図４】その他の実施態様１のオーディオ装置による制御フローチャートである。
【図５】その他の実施態様２のオーディオ装置による制御フローチャートである。
【図６】実施例２のオーディオ装置による制御フローチャートである。
【図７】実施例３のオーディオ装置による制御フローチャートである。
【符号の説明】
【０１０６】
１  オーディオ装置（コンテンツデータ再生装置）
２  読み取り部（読み取り手段）
３  モータ
４  光ピックアップ
５  システムコントローラ（第一判断手段，第一選択手段，第二設定手段，検出手段，第二選択手段，第三判断手段）
６  サーボドライバ
７  アンプ
８  ＭＰ３システムデコーダ
９  オーディオ出力装置
１０  操作部（第一設定手段）
１１  表示部（出力手段）
１２  ディスク挿入口
１３  キーワード入力部
１４  メモリ（格納手段，記憶手段）
【図１】
2007141332.tif 000003
【図２】
2007141332.tif 000004
【図３】
2007141332.tif 000005
【図４】
2007141332.tif 000006
【図５】
2007141332.tif 000007
【図６】
2007141332.tif 000008
【図７】
2007141332.tif 000009